(57)【要約】【課題】使用者は、音声もしくは、音による報知方式を簡単に選択できない。【解決手段】使用者が音により信号を入力する集音手段８と、その結果を受けて、報知方式を切り替える制御手段３を設け、その設定した結果を記憶する記憶手段１０を設け、使用者は、この集音手段への音声の入力により前記報知の動作を禁止もしくは禁止解除することで簡単な切替操作が可能になる。【選択図】図１
2005308290.tif 000002
【特許請求の範囲】
【請求項１】
容器を加熱する加熱手段と、前記加熱手段への通電を制御する制御手段と、使用者への報知を行う報知手段と、少なくとも音声あるいは音あるいは振動のいずれかを検知する集音手段とを備え、前記制御手段は、前記集音手段の入力に応じて前記報知手段の動作を禁止もしくは禁止の解除をする加熱調理器。
【請求項２】
容器を加熱する加熱手段と、前記加熱手段への通電を制御する制御手段と、使用者への報知をあらかじめ前記制御手段に記憶された音声にて行う報知手段と、少なくとも音声あるいは音あるいは振動のいずれかを検知する集音手段とを備え、前記集音手段の入力に応じて前記報知手段の報知の方式を切り替える加熱調理器。
【請求項３】
電源スイッチを備え、前記電源スイッチによる電源投入から所定期間のみ集音手段を動作させる請求項１または２に記載の加熱調理器。
【請求項４】
集音手段は、報知手段を兼ねた構成とした請求項１または２に記載の加熱調理器。
【請求項５】
可動式の操作部を備え、前記可動式の操作部が操作可能状態にのみ前記集音手段を動作させる請求項１または２に記載の加熱調理器。
【請求項６】
集音手段への入力の間隔あるいは回数の入力パターンにより報知の方式を、標準日本語、日本の方言、英語、その他の言語、音による報知、あるいは報知無しとを切り替える切替手段を設けた請求項２に記載の加熱調理器。
【請求項７】
集音手段は、使用者の操作部への打撃による振動を入力するようにした請求項１または２に記載の加熱調理器。
【請求項８】
切替手段の切り替えた状態を記憶する記憶手段を備え、切替手段は、起動時の初期値を前記記憶手段の記憶を設定するようにした請求項６に記載の加熱調理器。
【発明の詳細な説明】
【技術分野】
【０００１】
本発明は、報知手段を備えた加熱調理器に関するものである。
【背景技術】
【０００２】
従来の一般的な加熱調理器の操作部の構成を図５に示す。
【０００３】
従来この種の加熱調理器は、図５、６に示す様に、加熱手段５への通電を制御手段３により制御して加熱を行う構成が一般的であった。この構成においては、スイッチ操作を受け付けると報知手段６であるブザー等により報知を行うことが一般的である。
【０００４】
その際に、ブザーによる報知音のかわりに、内部のメモリーに内蔵した音声フレーズにより報知を行うことによって操作性を向上させているものもある（例えば、特許文献１参照）。
【０００５】
また、その他には使用者の音声をマイクロフォン等の音声入力手段７を介して機器を操作するものがある（例えば、特許文献２、３参照）。
【特許文献１】特開２００３−１３０３６０号公報
【特許文献２】特開２００３−２９４２３５号公報
【特許文献３】特開２００３−１５７３５７号公報
【発明の開示】
【発明が解決しようとする課題】
【０００６】
しかしながら、図５に示す前記従来の加熱調理器においては、報知を行うか否かの切替、あるいは報知の方式の切替手段をもたないという課題を有していた。
【０００７】
本発明は上記課題を解決するもので、簡単な構成で、報知の有り無しや、報知方式の切替を行うことのできる加熱調理器を提供することを目的とする。
【課題を解決するための手段】
【０００８】
上記課題を解決するために本発明の加熱調理器は、容器を加熱する加熱手段と、前記加熱手段への通電を制御する制御手段と、使用者への報知を行う報知手段と、少なくとも音声あるいは音あるいは振動のいずれかを検知する集音手段とを備え、前記制御手段は、前記集音手段の入力に応じて前記報知手段の動作を禁止もしくは禁止の解除をするものである。これにより、使用者は、この集音手段への音声の入力により前記報知の動作を禁止もしくは禁止解除することで簡単な切替操作が可能になる。
【０００９】
また、本発明の加熱調理器は、容器を加熱する加熱手段と、前記加熱手段への通電を制御する制御手段と、使用者への報知をあらかじめ前記制御手段に記憶された音声にて行う報知手段と、少なくとも音声あるいは音あるいは振動のいずれかを検知する集音手段とを備え、前記集音手段の入力に応じて前記報知手段の報知の方式を切り替えるものである。このことにより、使用者は、報知方式を切り替えることができるものである。
【発明の効果】
【００１０】
以上のように本発明の集音手段によれば、使用者は、簡単な操作で報知手段の動作の入り切りを実施することができる。また、本発明によれば、使用者は、簡単な操作で報知方式の切替を実施することができる。
【発明を実施するための最良の形態】
【００１１】
第１の発明の加熱調理器は、容器を加熱する加熱手段と、前記加熱手段への通電を制御する制御手段と、使用者への報知を行う報知手段と、少なくとも音声あるいは音あるいは振動のいずれかを検知する集音手段とを備え、前記制御手段は、前記集音手段の入力に応じて前記報知手段の動作を禁止もしくは禁止の解除をすることにより前記報知手段の動作を禁止、もしくは禁止解除することができるものである。
【００１２】
第２の発明の加熱調理器は、容器を加熱する加熱手段と、前記加熱手段への通電を制御する制御手段と、使用者への報知をあらかじめ前記制御手段に記憶された音声にて行う報知手段と、少なくとも音声あるいは音あるいは振動のいずれかを検知する集音手段とを備え、前記集音手段の入力に応じて前記報知手段の報知の方式を切り替えることにより、使用者は、任意の報知方式を選択することが可能になるものである。
【００１３】
第３の発明の加熱調理器は、電源スイッチを備え、前記電源スイッチによる電源投入から所定期間のみ集音手段を動作させることにより、使用者が機器の使用を開始するために電源投入した際にのみ、報知方式の変更を可能とし以降は、ご操作によって集音手段に入力があったとしても設定した報知方式に変更が無いようにすることができるものである。
【００１４】
第４の発明は、集音手段は、報知手段を兼ねた構成としたものであり、簡単な構成で発明の目的を実現することが可能になるものである。
【００１５】
第５の発明においては、可動式の操作部を備え、前記可動式の操作部が操作可能状態にのみ前記集音手段を動作させることにより、可動式の操作部の開閉時の衝撃音等により、集音手段が誤動作することを防止しているものである。
【００１６】
第６の発明においては、集集音手段への入力の間隔あるいは回数の入力パターンにより報知の方式を、標準日本語、日本の方言、英語、その他の言語、音による報知、あるいは報知無しとを切り替える切替手段を設けたことにより、使用者は好みの報知方式を任意に選択することができるものである。
【００１７】
第７の発明においては、集音手段は、使用者の操作部への打撃による振動を入力するようにしたことにより、使用者は、特別な音声フレーズを記憶しておかなくとも、また機器に切替スイッチ等を設けなくとも簡単な操作で報知方式を切り替えることができるものである。
【００１８】
第８の発明においては、切替手段の切り替えた状態を記憶する記憶手段を備え、切替手段は、起動時の初期値を前記記憶手段の記憶を設定するようにしたことにより、使用者は毎回求める報知方式を設定しなくてよいものである。
【００１９】
また、これら上記構成によれば、加熱調理器においては電源スイッチの動作に連動して、集音手段を動作させることにより、使用開始時にのみ報知手段の設定が可能になり、使用中は誤って訪中手段の切入りや、報知方式の変更が行われないものである。また、報知手段と集音手段を兼ねた構成にしているため、簡単な構成で本発明の効果を実施することができる。また、その可動式操作部が操作可能状態にのみ、集音手段による報知方式の切替を実施することができる。また、集音手段への入力により報知方式を切り替えることができ、簡単な操作で任意の報知方式を選択、設定することができる。また、集音手段へ入力する手段を、使用者の、打撃とすることで、特別なキーワードや操作を記憶せずとも、簡単な操作で報知手段を切り替えることができる。また、一旦設定した、報知方式を初期設定として記憶することができ、使用者は、次回より操作の必要なく、求める報知方式を得ることができる。
【００２０】
以下、その実施例を図面を参照して説明する。
【００２１】
（実施の形態１）
図１は本発明の第１の形態における機能の構成図を示すものである。
【００２２】
図１に示す様に、本発明の加熱調理器の従来例と同等の主要部分は、商用電源１の入切を行う電源スイッチ２と、商用電源１から制御手段３のマイクロコンピューターや制御回路を動作させるための直流電源をとりだす電源回路４と、負荷の鍋や調理物を加熱する加熱手段５で構成されている。この加熱手段５は、例えばラジエントヒーター、ガスバーナ、誘導加熱装置など特に特定されるものではない。また報知手段８ｂは、所定周波数の音を発する圧電素子ブザーにより実現することが一般的である。集音手段８ａも圧電素子の電圧と音圧の変換特性を利用してブザーを採用する方法が一般的である。ここで、集音手段８ａへの入力があった場合には、制御手段３からの指示による報知手段８ｂによる報知を禁止するようにすることができるものである。
【００２３】
（実施の形態２）
本発明の第２の実施の形態によれば、図１における報知手段８ｂを、人間の音声を再現する手段としてスピーカーを採用しているものである。
【００２４】
（実施の形態３）
本発明の第３の実施の形態によれば、図１にしめす電源スイッチ２により、商用交流電源１加熱調理器に給電、および給電停止を行っているものである。
【００２５】
図２に本発明の第３の実施の形態の動作を示す。電源スイッチ２をＯＮする前と、ＯＮしてからの所定期間以降は、集音手段８ａへの入力を無効にしているものである。
【００２６】
（実施の形態４）
図３に本発明の第４の実施の形態の回路ブロックを示す。
【００２７】
集音手段８ａおよび、報知手段８ｂである圧電素子ブザーＢＺを報知手段８ｂとして使用する際には、制御手段３であるマイクロコンピューターの出力１をＬＯＷ設定することにより、トランジスタＱ１が常時ＯＮとなり、ブザーＢＺを駆動する回路に電源が供給される。この状態で、出力２から、ブザーＢＺを駆動する２ｋＨｚの矩形波を出力してブザーＢＺを鳴動させている。集音手段８ａおよび、報知手段８ｂである圧電素子ブザーＢＺを集音手段８ａとして使用する際には、制御手段３であるマイクロコンピューターの出力２をＨＩＧＨ設定、出力１をＨＩＧＨ設定とすることにより、トランジスタＱ１がオフして電源から切り離され、トランジスタＱ２が常時ＯＮとなり、ブザーＢＺ回路がグランド電位に接続される。この状態で、ブザーＢＺに振動を加える、あるいは、ブザーＢＺに音が入力されると、電圧が発生し、増幅器を経てマイクロコンピューターに入力されるものである。この動作により、ブザーＢＺが集音手段８ａとして動作するものである。
【００２８】
（実施の形態５）
図４に本発明の第５の実施の形態の加熱調理器の操作部を示す。図４に示す加熱調理器においては、可動式操作部１１が前に回転して出てくる構成となっている。このとき、位置検出スイッチ１２の働きにより、可動式操作部１１が操作可能な状態に出ていることを検出し、可動式操作部１１の内部に設置された集音手段８ａの動作を許可しているものである。
【００２９】
（実施の形態６）
本発明の第６の実施の形態によれば、集音手段８ａへの入力回数により、例えば、１回の入力なら報知なし、２回の入力なら日本語、３回で英語、入力なしならブザー音、との４種類を切り替えるようにしているものである。
【００３０】
（実施の形態７）
本発明の第７の実施の形態によれば、図４に示すように操作部１１の中に設置された集音手段８ａであるブザーＢＺ周辺を例えば指で、軽く打撃する。すると、その振動をブザーＢＺが検知して電圧を発生させ、制御手段３であるマイクロコンピューターに取り込まれて、入力が決定されるものである。
【００３１】
（実施の形態８）
図１における記憶手段１０は、集音手段８ａへの入力で決定された、日本語報知、英語報知、あるいは報知なし、といった報知方式、を記憶しているものである。一旦記憶された報知方式は、次回使用開始の際にも、初期設定として動作するものである。
【産業上の利用可能性】
【００３２】
本発明の記憶手段の動作は、一般家庭における報知機能付加熱調理機器全般に転用可能である。
【図面の簡単な説明】
【００３３】
【図１】本発明の実施の形態１における加熱調理器の構成を示すブロック図
【図２】本発明の実施の形態３の加熱調理器の動作をしめすタイミングチャート
【図３】本発明の実施の形態４の集音手段と報知手段を示す回路ブロック図
【図４】本発明の実施の形態５における可動式の操作部の外観図
【図５】従来例の加熱調理器の構成を示すブロック図
【図６】従来例の報知手段を示す回路ブロック図
【符号の説明】
【００３４】
１  商用交流電源
２  電源スイッチ
３  制御手段
４  電源回路
５  加熱手段
６  報知手段
７  音声入力手段
８  集音／報知手段
９  切替手段
１０  記憶手段
１１  操作部
１２  位置検出手段
【図１】
2005308290.tif 000003
【図２】
2005308290.tif 000004
【図３】
2005308290.tif 000005
【図４】
2005308290.tif 000006
【図５】
2005308290.tif 000007
【図６】
2005308290.tif 000008